(57)【要約】【課題】柵テープを何度でも使用することができるとともに、広範囲に作業現場等を囲むことができ、且つ、耐久性を有するカラーコーンを提供する。【解決手段】カラーコーン本体２と、このカラーコーン本体２の下端側中途部に回動自在に支持されてなるとともに水平方向に長さを有する回動軸３と、この回動軸３の一端側に形成され上記カラーコーン本体２の外側に位置してなる回動操作用ハンドル３ａと、上記カラーコーン本体２の内側であって上記回動軸３に固定されてなるプーリ４と、このプーリ４に基端が固定され巻回されてなる柵テープ８と、上記カラーコーン本体２の上端側外周に形成され上記柵テープ８の中途部が挿通される開口部２ｆと、を備えてなる。【選択図】        図１
2004169425.tif 000002
【特許請求の範囲】
【請求項１】
カラーコーン本体と、このカラーコーン本体の下端側中途部に回動自在に支持されてなるとともに水平方向に長さを有する回動軸と、この回動軸の一端側に形成され上記カラーコーン本体の外側に位置してなる回動操作用ハンドルと、上記カラーコーン本体の内側であって上記回動軸に固定されてなるプーリと、このプーリに基端が固定され巻回されてなる柵テープと、上記カラーコーン本体の上端側外周に形成され上記柵テープの中途部が挿通される開口部と、を備えてなることを特徴とするカラーコーン。
【請求項２】
前記開口部の近傍であって、前記カラーコーン本体の上端側の内側には、前記柵テープの中途部をガイドするガイド軸が固定されてなることを特徴とする請求項１記載のカラーコーン。
【請求項３】
前記カラーコーン本体の下端側中途部には、前記プーリに巻回された柵テープを該カラーコーン本体の外側から視認するための視認用窓部が形成されてなることを特徴とする請求項１又は２記載のカラーコーン。
【発明の詳細な説明】
【０００１】
【発明が属する技術分野】
本発明は、道路や工場等で作業をする場合に、通行人その他の関係者以外の者がその作業現場に侵入することを防止するため、この作業現場を囲むように設置されるカラーコーンに関するものである。
【０００２】
【従来の技術】
従来、道路や工場等で作業をする場合に、通行人その他の関係者以外の者がその作業現場に侵入することを防止するため、この作業現場を囲むように、カラーコーンを随所に設置している場合が多い。しかし、こうしたカラーコーンの設置のみでは、十分な保安を確保することができず、最近では、複数のカラーコーンで囲まれた作業現場を、さらに柵テープにより囲むことがある。しかしながら、こうした柵テープは、一度使用されると、次回に使用される長さが必ずしも同じではないことから廃棄され、再利用することができず、また、一度切断された後に、作業現場を囲む範囲が広がった場合には、既に切断された柵テープに新たな柵テープを継ぎ足さなければならない。
【０００３】
そこで、こうした不都合を解消するために、従来、特開平１１−２９９１２号公報に開示されたカラーコーンが提案されている。このカラーコーンは、カラーコーン本体内に柵テープが巻回されるドラムを配設するとともに、該ドラムをバネにより柵テープの巻き取り方向とは逆方向に付勢するように構成したものである。この特開平１１−２９９１２号公報に開示された技術によれば、上記ドラムから引き出して使用された柵テープは、上記バネの付勢力により再び上記ドラムに巻き取られることから、何度も繰り返して使用することができる。
【０００４】
【発明が解決しようとする課題】
しかしながら、上述した特開平１１−２９９１２号公報に開示された技術では、バネの付勢力によりドラムに巻き戻すことができる柵テープの長さには大きな限界があり、カラーコーンによって囲む工事現場が広い場合には対応できない。また、繰り返し使用されることにより上記バネが破損する可能性も否定できない。
【０００５】
そこで、本発明は、上述した従来の方法が有する課題を解決するために提案されたものであって、柵テープを何度でも使用することができるとともに、広範囲な作業現場を囲むことができ、且つ、耐久性を有するカラーコーンを提供することを目的とするものである。
【０００６】
【課題を解決するための手段】
本発明は上記の課題を解決するために提案されたものであって、第１の発明（請求項１記載の発明）は、カラーコーン本体と、このカラーコーン本体の下端側中途部に回動自在に支持されてなるとともに水平方向に長さを有する回動軸と、この回動軸の一端側に形成され上記カラーコーンの外側に位置してなる回動操作用ハンドルと、上記カラーコーン本体の内側であって上記回動軸に固定されてなるプーリと、このプーリに基端が固定され巻回されてなる柵テープと、上記カラーコーンの上端側外周に形成され上記柵テープの中途部が挿通される開口部と、を備えてなることを特徴とするものである。
【０００７】
この第１の発明によれば、柵テープの一端側又は中途部を上記開口部から引くことにより、上記プーリは回転させられ、カラーコーン本体から該柵テープが引き出され、逆に、上記回動操作ハンドルを反対方向に回転させることにより、引き出された（使用された）柵テープは上記プーリに巻回される。したがって、本発明によれば、柵テープを何度でも繰り返して使用することができる。特に、本発明においては、上記プーリは、カラーコーン本体の下端側中途部に設けられていることから、長尺な柵テープを巻回することが可能であり、柵テープにより囲むべき工事現場又は作業現場が広範囲な場合であっても対応することができ、また、安価に製造することができる。
【０００８】
また、第２の発明（請求項２記載の発明）は、前記第１の発明において、前記開口部の近傍であって、前記カラーコーン本体の上端側の内側には、前記柵テープの中途部をガイドするガイド軸が固定されてなることを特徴とするものである。
【０００９】
この第２の発明によれば、上記ガイド軸に柵テープがガイドされながらカラーコーン本体内から引き出され又は該カラーコーン本体内に引き込まれることから、柵テープが中途部で切断され、或いは正確にプーリに巻回されないことを有効に防止することができる。
【００１０】
また、第３の発明（請求項３記載の発明）は、前記第１又は第２の発明において、前記カラーコーン本体の下端側中途部には、前記プーリに巻回された柵テープを該カラーコーン本体の外側から視認するための視認用窓部が形成されてなることを特徴とするものである。
【００１１】
この第３の発明では、前記プーリに巻回された柵テープを該カラーコーン本体の外側から視認するための視認用窓部が形成されてなることから、保守点検が簡便となり、一層使い勝手のよいものとすることができる。
【００１２】
【発明の実施の形態】
以下、本発明の一実施の形態に係るカラーコーンについて、図面を参照しながら詳細に説明する。
【００１３】
このカラーコーン１は、図１及び図２に示すように、カラーコーン本体２と、一端が回動操作ハンドル３ａとなされた回動軸３を備えている。上記カラーコーン本体２は、ポリエチレン樹脂により一体成形され略円錐状に成形された市販のものであり、外形が略正方形状に成形された台座部２ａと、この台座部２ａから上方に起立してなり内部は中空とされてなる円錐部２ｂから構成され、本実施の形態に係るカラーコーン１では、上記円錐部２ｂの下端側に視認用窓部（開口部）２ｃが形成されている。また、このカラーコーン本体２の下端側には、２つの回動軸挿通孔２ｄ，２ｅが穿設され、該カラーコーン本体２の上端側には、後述する柵テープの中途部が挿通される開口部２ｆが形成されているとともに、該開口部２ｆの近傍には、２つのガイド軸挿通孔２ｇ、２ｈが穿設されている。
【００１４】
そして、上記２つの回動軸挿通孔２ｄ，２ｅには、上記回動軸３が回動可能に挿通されている。この回動軸３は、樹脂又は金属により棒状に成形されてなるものであり、一端側中途部は、上記カラーコーン本体２の外側に位置しており、第１の折曲部３ｂにおいて上記２つの回動軸挿通孔２ｄ，２ｅに挿通された部位との間で鈍角が形成されるように折曲され、さらに第２の折曲部３ｃにおいて折曲されている。すなわち、この回動軸３は、上記第２の折曲部３ｃから一端までの部位が回動操作ハンドル３ａとされている。また、上記回動軸３の中途部には、後述する柵テープ８の基端が固定され該柵テープ８が巻回されるプーリ４が固定され、このプーリ４の一端側には、円盤状に成形された一方の位置決め板５が固定され、他端には、この一方の位置決め板５に対向してなり該一方の位置決め板５と同一形状に成形された他方の位置決め板６が固定されている。
【００１５】
また、上記カラーコーン本体２内であって、上記２つのガイド軸挿通孔２ｇ，２ｈには、上記回動軸３と平行に、ガイド軸７が回動自在に挿通されている。このガイド軸７は、上記回動軸３のプーリ４に巻回された柵テープ８の中途部がガイドされるものであり、上記のプーリ４の一方及び他方の位置決め板５，６と同様に位置決め板７ａ，７ｂが固定されている。
【００１６】
そして、上述のように、上記プーリ４には、柵テープ８の基端が固定されてなるとともに、多数巻回され、中途部は上記ガイド軸７の周面にガイドされながら上記開口部２ｆからカラーコーン本体２の外側に引き出されている。
【００１７】
したがって、上述したカラーコーン１を使用し、例えば、工事現場を囲む場合には、図３に示すように、他のカラーコーン１０を適宜設置し、これら他のカラーコーン１０に上記柵テープ８を支持させる。なお、これら他のカラーコーン１０のそれぞれには、上端側外周面に、柵テープ用支持具１１が固定されている。この柵テープ用支持具１１は、固定部材１２と、この固定部材１２の下端側に下端が固定されてなる操作部材１３とから構成されている。上記固定部材１２は、柵テープ８の幅よりも長尺な長さを有する帯状に成形されてなるものであり、樹脂又は織布等の可撓性を有する素材が基材（符号は省略する。）と、この基材の正面側には、面ファスナーを構成する一方のファスナー部（符号は省略する。）とから構成されている。また、そして、この固定部材３は、図示しないネジ（スクリューネジ）により固定されている。また、上記操作部材１３は、上記固定部材１２の下端側にネジ１４により下端側が固定されてなるものであり、長さ幅は、上記固定部材１２と同じように帯状に成形されている。そして、この操作部材１３の裏面は、面ファスナーを構成する他方のファスナー部（符号は省略する。）とされ、この他方のファスナー部を、上記一方のファスナー部となされた固定部材１２の正面に押し当てることにより互いに接合され、間に上記柵テープ８を挟むことにより、該固定部材１２と操作部材１３とにより支持できるように構成されている。
【００１８】
したがって、上記実施の形態に係るカラーコーン１を、上記柵テープ支持具１１が固定された他のカラーコーン１０とともに使用することにより、柵テープ８が中途部で捻られることがなく、柵テープ８に文字等が印刷等されている場合であれば、確実にその文字を第三者に視認させることができる。また、このように使用された柵テープ８を収納する場合には、上記他のカラーコーン１０に固定された柵テープ支持具１１による柵テープ８の支持状態を解除し、上記回動操作ハンドル３ａを把持しながら回転操作することにより、上記柵テープ８は、上記ガイド軸７にガイドされながら上記プーリ４に巻回される。
【００１９】
したがって、この実施の形態に係るカラーコーン１によれば、柵テープ８を何度でも使用することができるばかりではなく、従来のカラーコーンのように、バネによりプーリ４を付勢するものではないので、広範囲な作業現場等を囲むことができるとともに、極めて耐久性が向上され、且つ、安価に製造することができる。特に、この実施の形態に係るカラーコーン１では、上記ガイド軸７に柵テープ８がガイドされながらカラーコーン本体２内から引き出され又は該カラーコーン本体２内に引き込まれることから、柵テープ８が中途部で切断され、或いは正確にプーリ４に巻回されないことを有効に防止することができる。
【００２０】
さらに、このカラーコーン１では、前記プーリ４に巻回された柵テープ８を該カラーコーン本体２の外側から視認するための視認用窓部２ｃが形成されてなることから、保守点検が簡便となり、一層使い勝手のよいものとすることができる。
【００２１】
なお、本発明（請求項１記載の発明）においては、上記視認用窓部２ｃが必ずしも構成要素とされる必要はなく、また、請求項３記載の発明のように、視認用窓部を設ける場合であっても、上述したように開口とするばかりではなく、該開口が透明な樹脂，ガラス等により閉塞されたものであっても良い。
【００２２】
【発明の効果】
上記実施の形態の説明からも明らかなように、第１の発明（請求項１記載の発明）によれば、柵テープを何度でも繰り返して使用することができる。特に、本発明においては、上記プーリは、カラーコーン本体の下端側中途部に設けられていることから、長尺な柵テープを巻回することが可能であり、柵テープにより囲むべき工事現場又は作業現場が広範囲な場合であっても対応することができ、さらに安価に製造することができる。
【００２３】
また、第２の発明（請求項２記載の発明）によれば、上記ガイド軸に柵テープがガイドされながらカラーコーン本体内から引き出され又は該カラーコーン本体内に引き込まれることから、柵テープが中途部で切断され、或いは正確にプーリに巻回されないことを有効に防止することができる。
【００２４】
また、第３の発明（請求項３記載の発明）では、前記プーリに巻回された柵テープを該カラーコーン本体の外側から視認するための視認用窓部が形成されてなることから、保守点検が簡便となり、一層使い勝手のよいものとすることができる。
【図面の簡単な説明】
【図１】本発明の一実施の形態に係るカラーコーンを示す部分断面正面図である。
【図２】本発明の一実施の形態に係るカラーコーンを示す部分断面側面図である。
【図３】本発明の一実施の形態に係るカラーコーンの使用例を示す斜視図である。
【符号の説明】
１    カラーコーン
２    カラーコーン本体
２ｃ    視認用窓部
２ｆ    開口部
３    回動軸
３ａ    回動操作ハンドル
４    プーリ
７    ガイド軸
８    柵テープ
【図１】
2004169425.tif 000003
【図２】
2004169425.tif 000004
【図３】
2004169425.tif 000005